(57)【要約】【課題】機能的に富んでいるとともに、装飾性にも優れている写真立て付きティッシュペーパー用ケースを提供する。【解決手段】蓋体４によって上面を開閉することができるケース本体２の内部の左右端部に、ガイドポール７を直立させるとともにコイルスプリング８を装着することによりティッシュペーパーを載せる載置板９を上下動可能に、また上方に付勢するように支持し、前記ケース本体２の表面には、スペーサー１２と表面板材１３とにより一側縁が開放する写真立て部１１を設けてなる。【選択図】図２
0003155116.tif 000002
【実用新案登録請求の範囲】
【請求項１】
蓋体によって上面を開閉することができるケース本体の内部の左右端部に、ガイドポールを直立させるとともにコイルスプリング材を装着することによりティッシュペーパーを載せる載置板を上下動可能に、また上方に付勢するように支持し、前記ケース本体の表面には、スペーサーと表面板材とにより一側縁が開放する写真立て部を設けてなることを特徴とする写真立て付きティッシュペーパー用ケース。
【請求項２】
蓋体及びケース本体の表面には金属板からなる装飾板材を添設し、ケース本体の前面の装飾板材の表面に、コ字状の周囲枠体と表面板材とを重合上に設けることにより、前記写真立て部を設けてなる請求項１に記載の写真立て付きティッシュペーパー用ケース。
【考案の詳細な説明】
【技術分野】
【０００１】
本考案は、機能的に富んでいるとともに、装飾性にも優れている写真立て付きティッシュペーパー用ケースに関するものである。
【背景技術】
【０００２】
従来から、内部にティッシュペーパーを収納するティッシュペーパーボックスのカバーは広く知られている。例えば、下面が開放して、ティッシュペーパーのボックスに被せる布製のティッシュペーパーのカバーが周知である。このティッシュペーパーのカバーは、単にティッシュペーパーのボックスに被せて表面を覆う装飾的な機能だけしかなく、他の機能が全くないので、装飾性の高いものしか商品価値が生じない。
また、最近流通しているティッシュペーパーのボックスは、メーカーによって収納できる枚数や縦、横の寸法が相違して統一されていないので、メーカーのケースに対応するカバーを使用しなければならない。
【０００３】
このような欠点を解決するために、常に上昇するように付勢される載置面をボックスの内部に設け、前記載置面にティッシュペーパーを載せることにより、ティッシュペーパーをボックスの上面に押圧して、無理なくスムーズに取り出せるようにした発明が特許文献１に記載されている。
【先行技術文献】
【特許文献】
【０００４】
【特許文献１】特開２００２−２２３９８１号公報
【考案の概要】
【考案が解決しようとする課題】
【０００５】
しかしながら、特許文献１に記載された装置でも、内部のティッシュペーパーが上昇するように付勢されるだけであって、取り出し時にティッシュペーパーが切断したり損傷するといったトラブルを防ぐことができるが、装飾性、機能性といった商品価値を高めるものではない。
【０００６】
本考案において、解決しようとする問題点は、ティッシュペーパーの厚紙製ボックスを不要にすることにより無駄な資源の消費を解消したり、ボックスから発生するごみの回収エネルギーを軽減することができ、またきわめて装飾性に富むばかりでなく、写真立てを一体状に設けることにより、常に写真を眺めながらティッシュペーパーを利用でき、しかも写真が交換できるので、表面を新鮮味のある状態で装飾できる点である。
【課題を解決するための手段】
【０００７】
そして本考案は、蓋体によって上面を開閉することができるケース本体の内部の左右端部に、ガイドポールを直立させるとともにコイルスプリング材を装着することによりティッシュペーパーを載せる載置板を上下動可能に、また上方に付勢するように支持し、前記ケース本体の表面には、周囲枠体と表面板材とにより一側縁が開放する写真立て部を設けてなることを最も主要な特徴とするものである。
【考案の効果】
【０００８】
本考案によれば、載置板の上面に積層するティッシュペーパーの束を載せることにより安定して上昇付勢されるので、破損したり切断することなく確実にティッシュペーパーを１枚宛取り出すことができるし、写真立て部に好みの写真を装脱可能にできるので、変化があって新鮮味のある装飾感をもたらせることができる。しかも、ティッシュペーパーのボックスを使用しないので、ボックスに要する費用分をペーパーに補充できるばかりでなく、ボックスを処分するための手間やエネルギーを要することがない、という効果がある。
【図面の簡単な説明】
【０００９】
【図１】本考案の実施例を示す全体の斜視図である。
【図２】分解した状態の斜視図である。
【図３】縦断正面図である。
【図４】図１のＡ−Ａ線の一部を拡大した断面図である。
【図５】図１のＢ−Ｂ線の断面図である。
【図６】写真立て部を構成する表面板材の一部を欠切した正面図である。
【考案を実施するための形態】
【００１０】
以下に本考案を図面の実施例に基づいて説明する。
図１は本考案の全体の斜視図、図２は分解した状態の斜視図、図３は縦断正面図、図４は図１のＡ−Ａ線の断面図、図５は図１のＢ−Ｂ線の断面図、図６は写真立て部を構成する表面板材の一部を欠切した正面図である。
【００１１】
本考案の写真立て付きティッシュペーパー用ケース１は、上面が開放するケース本体２と、前記ケース本体２の開放上面を蝶番３により開閉する蓋体４とを有し、前記蓋体４には、ケース本体２に収納するティッシュペーパーの束の最上段の１枚を引き出すための横長な取り出し孔４'を開設する。
【００１２】
前記ケース本体２及び蓋体４の表面には、例えば金属薄板からなって装飾性の高い装飾板５を金属釘６により打ち付けて止着し、全体として装飾効果を高めることができる。また、蓋体４の開放自由端部側とケース本体２の正面側上縁とには、フックとピン材とからなる留め具２'を設け、前記フックをピン材に係止した状態では蓋体４が固定し、フックをピン材から外すと蓋体４が開放できるようにする。
【００１３】
そして、前記ケース本体２の内部には、左右端部の内側中央に位置するようにガイドポール７，７を直立状に設けるとともに、前記各ガイドポールにコイルスプリング８を装着し、ケース本体２の内部に収納する載置板９を上下動可能に、また上方に付勢するように支える。
【００１４】
前記載置板９は前記ケース本体２の内側寸法とほぼ同一であって、左右の端部近傍に前記ガイドポール７に挿通可能な装着孔１０を開設してあるので、前記各装着孔１０を各ガイドポール７に上から挿通してケース本体２にまで押し下げる。
【００１５】
したがって、前記載置板９は、ケース本体２の内部において左右のガイドポール７により上下動が可能であり、また各コイルスプリング８によって上昇するように付勢されている。
【００１６】
前記ケース本体２の表面で、特に正面には、写真立て部１１を設ける。前記写真立て部１１は、ケース本体２の正面部分に位置する装飾板５の表面に設けた上向きコ字状のスペーサー１２の前面に、装飾性の高い表面板材１３を添設した構成からなり、前記正面部分の装飾板５の表面、スペーサー１２及び表面板材１３の裏面によって囲まれる部分に、上面が開放する写真収納部１４が構成される。
【００１７】
前記写真収納部１４は、内部の深さがスペーサー１２の厚さ分に相当するので、その深さを厚紙程度にすることにより、開放する上面から写真を装脱することができる。また、表面板材１３として透明板材を使用したり、窓孔１５を開設することにより、写真収納部１４に入れた写真を表面から見ることができるので、ティッシュペーパー用ケースとしての価値観をさらに高めることができる。
【００１８】
なお、前記スペーサー１２を横向きコ字状にすれば、写真収納部１４の一側を開放させて、側面から写真を装入したり外すことができる。また、前記写真収納部１４を構成するには、前記ケース本体２の正面部分に位置する装飾板５を写真収納部１４に相当する部分だけコ字状に切除し、その前面に表面板材１３を添設してもよい。このように構成すると、装飾板５の厚さ分の写真収納部１４が形成され、開放する上方から写真を装入したり外すことができる。
【００１９】
本考案は上記のような構成であって、使用に際してはケース本体２の内部に、左右の装着孔１０を、左右の各ガイドポール７に上から通しながら載置板９を納める。この状態では載置板９がコイルスプリング８により上昇するように付勢されているので、ティッシュペーパーＰの束を載置板９の上面に置き、コイルスプリング８の付勢に抗してティッシュペーパーＰを押し下げるとともに、蓋体４でケース本体２の開放上面を閉塞して留め具２'でロックすると、ティッシュペーパーの束を上方に付勢しながらケース本体２の内部に収納することができる。
【００２０】
したがって、ティッシュペーパー束の最上段のティッシュペーパーは、蓋体４の下面に押圧されているので、取り出し孔４'から引き出して使用に供することができ、順次使用して束が薄くなっても、載置板９が上方に付勢されているので、取り出し孔４'から最上段のティッシュペーパーを無理なく、破損させないで取り出すことができる。
【００２１】
そして、ケース本体２の内部のティッシュペーパーを使い尽くしたら、蓋体４を開放して新たなティッシュペーパーの束を収納して閉蓋し、載置板９により上昇付勢させればよい。
【００２２】
また写真立て部１１を使用する場合には、前記の通り写真収納部１４に上から、若しくは横から好みの写真を収納し、窓孔１５から臨ませればよいし、臨ませる写真を自由に交換することができる。
【００２３】
したがって、本考案によればケース本体２の内部においてはティッシュペーパーの束を確実に上昇付勢して最上段のティッシュペーパーが蓋体４の下面に押圧しているので、取り出し時に切断したり破損させることなく、原寸のままのティッシュペーパーを使用することができる。しかも、写真立て部１１に好みの写真を装入したり交換することができるので、装飾性を高めるばかりでなく、実用的価値も高めることができる。
【符号の説明】
【００２４】
１  ティッシュペーパー用ケース
２  ケース本体
２'  留め具
３  蝶番
４  蓋体
４'  取り出し孔
５  装飾板
６  金属釘
７  ガイドポール
８  コイルスプリング材
９  載置板
１０  装着孔
１１  写真立て部
１２  スペーサー
１３  表面板材
１４  写真収納部
１５  窓孔
【図１】
0003155116.tif 000003
【図２】
0003155116.tif 000004
【図３】
0003155116.tif 000005
【図４】
0003155116.tif 000006
【図５】
0003155116.tif 000007
【図６】
0003155116.tif 000008